(57)【特許請求の範囲】
【請求項１】
本体ケーシングと、
上記本体ケーシングの基端部において第１磁極面を先端部側に向けて固定状態で設けられる、所定の大きさの磁力を発生させるマグネットと、
上記本体ケーシングの基端部において該先端部内に内嵌めされた状態で設けられ、その基端面が上記マグネットの第１磁極面に当接されると共に、その先端面が上記本体ケーシングの先端面から突出した状態で設けられる磁性体製の支持リングと、
上記支持リング内に収容され、その基端面が上記マグネットの第１磁極面に当接されると共に、その先端部が上記支持リングの先端面から突出した状態で設けられる複数本の磁性体製の指圧突起と、を具備し、
上記支持リングと上記指圧突起との間及び各指圧突起間には、これらに磁力を作用させる所定間隔の隙間が形成されており、該隙間の存在によって上記複数の指圧突起は、上記支持リング内において磁力による簡易的な拘束状態が形成されて保持されると共に、各指圧突起が互いに反発し合いながら自由に遊動し得る状態で設けられていて、
上記指圧突起は、その基端面が平面状で、その先端部が程良い刺激を与える範囲で尖端状をなす釘状体からなり、
上記支持リングは、本体ケーシングの第２収容部に対して内嵌する外管と、該外管に対して内嵌する内管と、を備え、外管２１と内管２３が互いに接した状態で嵌り合ってる二重管構造を有しており、上記外管の高さが内管の高さよりも高くなるように形成されていることを特徴とする身体マッサージ具。
【発明の詳細な説明】
【技術分野】
【０００１】
本発明は、小型で持ち運びが可能な身体マッサージ具に係り、特に複数の指圧点に作用する磁力を集中させて強力な磁気マッサージ効果を発揮できると共に、複数の指圧点を遊動可能な状態で保持することにより、程良い刺激の穏やかな指圧マッサージ効果を得ることのできる簡易な構造の身体マッサージ具に関する。
【背景技術】
【０００２】
小型で持ち運びが可能な簡易な構造の身体マッサージ具としては、下記の特許文献１、２に示すものが提案されている。
このうち特許文献１では、円筒状の本体と、その本体に装着され、上面に針状突起を突設した先端部と、上記の本体内に挿入され、上記の針状突起に磁気を帯びさせる磁石とからなる携帯用マッサージ器が開示されている。
また、円筒状の本体と、その本体に装着され、上面に針状突起を突設した先端部と、上記の本体内に挿入され、上記の針状突起に磁気を帯びさせる磁石と、上記の針状突起を弾発的に出没させるばねとからなる携帯用マッサージ器が開示されている。
【０００３】
一方、特許文献２では、円筒状の本体と、該本体の先端部に設けられる硬質性の細い針状突起と、上記本体の先端部の周囲に設けられ、上記針状突起より僅かに低い縁と、を備える携帯用の自療用マッサージ器が開示されている。
また、上記縁の高さを変えることによって刺激効果を調整できるようにした２種類の構造が第３の実施例及び第４の実施例として開示されている。
【先行技術文献】
【特許文献】
【０００４】
【特許文献１】実用新案登録第３０００２１１号公報
【特許文献２】実開昭５４−４３０８８号公報
【発明の概要】
【発明が解決しようとする課題】
【０００５】
上記従来の身体マッサージ具によると、次のような問題があった。特許文献１及び特許文献２に係る携帯マッサージ器によると、本体の先端部から突設される複数の針状突起は、それぞれ一定の間隔をおいて身動きが取れない拘束された状態で配置され、すべての針状突起が同じ高さになるように固定状態で設けられている。これにより、各針状突起の先端部から放出される磁力線は一様な磁場を形成し、それぞれが分散した状態で身体に作用するようになっていた。
【０００６】
従って、マッサージする身体の部位の形状によっては、すべての針状突起の先端部を当該部位に等しく押し当てて磁力を作用させることはできなかった。また、身体の特定部位に磁力を集中させて作用させるような使い方もできなかった。
【０００７】
また、針状突起が拘束された状態で配置されているため、針状突起を身体に強く押し当てると刺激が強過ぎて使用者に痛みを感じさせたり、身体を傷付けるおそれがあった。
更に、針状突起の突出量を調節する構造やばねによって針状突起による刺激を柔らげる構成も開示されているが、すべての針状突起が一様に軸方向に動くだけで、それ以上の複雑な動きができず、身体の部位によっては刺激が強過ぎたり、弱過ぎたりする不具合が生じていた。
【０００８】
本発明はこのような点に基づいてなされたもので、その目的とするところは、適用する身体の部位に応じて指圧点の位置を自由に変化させることにより、磁力を効率良く集中させて強力な磁気マッサージ効果を得ることができ、且つ、適用する身体の部位によってそれぞれの指圧点の間隔と作用高さを自由に変化させることにより、身体に押し当てた時に痛みを感じさせることなく程良い刺激の穏やかな指圧マッサージ効果を得ることができる簡易な構造の身体マッサージ具を提供することにある。
【課題を解決するための手段】
【０００９】
上記目的を達成するべく本発明の請求項１による身体マッサージ具は、  本体ケーシングと、
上記本体ケーシングの基端部において第１磁極面を先端部側に向けて固定状態で設けられる、所定の大きさの磁力を発生させるマグネットと、
上記本体ケーシングの基端部において該先端部内に内嵌めされた状態で設けられ、その基端面が上記マグネットの第１磁極面に当接されると共に、その先端面が上記本体ケーシングの先端面から突出した状態で設けられる磁性体製の支持リングと、
上記支持リング内に収容され、その基端面が上記マグネットの第１磁極面に当接されると共に、その先端部が上記支持リングの先端面から突出した状態で設けられる複数本の磁性体製の指圧突起と、を具備し、
上記支持リングと上記指圧突起との間及び各指圧突起間には、これらに磁力を作用させる所定間隔の隙間が形成されており、該隙間の存在によって上記複数の指圧突起は、上記支持リング内において磁力による簡易的な拘束状態が形成されて保持されると共に、各指圧突起が互いに反発し合いながら自由に遊動し得る状態で設けられていて、
上記指圧突起は、その基端面が平面状で、その先端部が程良い刺激を与える範囲で尖端状をなす釘状体からなり、
上記支持リングは、本体ケーシングの第２収容部に対して内嵌する外管と、該外管に対して内嵌する内管と、を備え、外管２１と内管２３が互いに接した状態で嵌り合ってる二重管構造を有しており、上記外管の高さが内管の高さよりも高くなるように形成されていることを特徴とするものである。
【００１０】
【００１１】
【発明の効果】
【００１２】
そして、上記手段によって以下のような効果が得られる。即ち、本発明では、支持リングと指圧突起との間及び各指圧突起間にこれらに磁力を作用させる所定間隔の隙間が形成されているから、該隙間の存在によって支持リング内の複数の指圧突起にはマグネットからの磁力が作用して簡易的な拘束状態が形成される。
具体的には、各指圧突起の基端面はマグネットの第１磁極面に直接、吸着されることによって磁力によって保持され、支持リングの内周面側に配置されている指圧突起の先端部は、マグネットによって磁化されている状態の支持リングに引き寄せられて保持される。また、各指圧突起は互いに反発し合うことによって隣接する指圧突起間に隙間が形成された状態で保持される。従って、磁力によるこれらの複数点での保持によって指圧突起の保持姿勢が安定する。
【００１３】
そして、上記指圧突起の保持状態は固定的なものではなく、適用する身体の部位の形状や指圧突起の押し当て方、あるいは適用する身体の部位に沿う方向への移動等によって随時変化する。従って、上記指圧突起は、支持リング内に形成されている隙間の範囲で自由に遊動することができ、これにより各指圧突起は、身体の部位の形状等に応じて指圧点の位置を自由に変化させて、磁力を効率良く集中させることができ、強力な磁気マッサージ効果を得られるようにすることができる。
また、適用する身体の部位の形状等に応じて各指圧突起のそれぞれの指圧点の間隔と作用高さが自動的に変化するから、すべての指圧突起を当該身体の部位に作用させて、効果的な指圧マッサージ効果を得ることが可能になる。
【００１４】
また、指圧突起を、基端面が平面状で、先端部が程良い刺激を与える範囲で尖端状をなす釘状体によって構成した場合には、マグネットの第１磁極面に対する指圧突起の接触面積が大きくなるから、マグネットの磁力が効率良く指圧突起に伝達されて、必要な磁力を得ることができるようになる。
また、指圧突起の先端部を身体に押し当てた時、身体を傷付けたり、痛みを感じさせることなく、程良い刺激の穏やかな指圧マッサージ効果が得られるようになる。
【００１５】
また、支持リングを外管と内管を備える二重管構造とし、外管の高さを内管の高さよりも高くなるように形成した場合には、指圧突起先端部の自由な遊動を可能にした状態で支持リングの基端面とマグネットの第１磁極面との接触面積を拡大させて、より強い磁力を支持リングに作用させることが可能になる。
【図面の簡単な説明】
【００１６】
【図１】本発明の実施の形態を示す図で、身体マッサージ具を示す斜視図である。
【図２】本発明の実施の形態を示す図で、身体マッサージ具を示す分解斜視図である。
【図３】本発明の実施の形態を示す図で、身体マッサージ具を示す側面図である。
【図４】本発明の実施の形態を示す図で、身体マッサージ具を示す平面図である。
【図５】本発明の実施の形態を示す図で、図４中のＡ−Ａ断面図である。
【図６】本発明の実施の形態を示す図で、図５中のＢ部の拡大図である。
【図７】本発明の実施の形態を示す図で、指圧突起を８本配置した場合（ａ）と、７本配置した場合（ｂ）の隙間の変化を示す平面図である。
【図８】本発明の実施の形態を示す図で、身体マッサージ具の使用状態の一例を示す説明図である。
【図９】本発明の身体マッサージ具の効果を試すために行った比較試験の内容と結果を示す説明図である。
【発明を実施するための形態】
【００１７】
以下、図１〜図８に示す実施の形態を例にとって、本発明の身体マッサージ具の構成及び作用と、その使用状態の順で説明し、最後に、図９の説明図に基づいて本発明の身体マッサージ具の効果を試すために行った比較試験の内容と結果について説明する。
（１）身体マッサージ具の構成（図１〜図７参照）
本発明の身体マッサージ具１は、本体ケーシング３と、該本体ケーシング３の基端部５において第１磁極面１１を先端部３５側に向けて固定状態で設けられる、所定の大きさの磁力を発生させるマグネット１５と、上記本体ケーシング３の先端部７において該先端部７内に内嵌めされた状態で設けられ、その基端面２５が上記マグネット１５の第１磁極面１１に当接されると共に、その先端面２７が上記本体ケーシング３の先端面８から突出した状態で設けられる磁性体製の支持リング１９と、該支持リング１９内に収容され、その基端面３３が上記マグネット１５の第１磁極面１１に当接されると共に、その先端部３５が上記支持リング１９の先端面２７から突出した状態で設けられる複数本の磁性体製の指圧突起３１と、を具備することによって基本的に構成されている。
【００１８】
そして、上記支持リング１９と上記指圧突起３１との間及び各指圧突起３１間には、これらに磁力を作用させる所定間隔の隙間３９が形成されており、該隙間３９の存在によって上記複数の指圧突起３１は、上記支持リング１９内において磁力による簡易的な拘束状態が形成されて保持されると共に、各指圧突起３１が互いに反発し合いながら自由に遊動し得る状態で設けられていることを特徴としている。
【００１９】
そして、本実施の形態では、使用時に柄９を持って操作する柄９の付いた本体ケーシング３が図示されている。具体的には、円錐台形状のケーシング４の中心に軸方向Ｚに貫通する、基端部５側で径が大きく先端部７側で径が小さな穴部４１を形成し、径が大きな基端部５側の穴部４１を後述するマグネット１５を収容する第１収容部４３とし、径が小さな先端部７側の穴部４１を後述する支持リング１９と指圧突起３１を収容する第２収容部４５としている。
また、上記第１収容部４３の基端面６側の開口部を閉塞するように一例としてしゃもじ状の柄９を取り付けることによって本体ケーシング３が形成されている。尚、本体ケーシング３の材料としては一例として硬質のプラスチック製材料が適用可能である。
【００２０】
マグネット１５は、上記第１収容部４３に収容される一例として短寸の円柱形状のマグネットが適用可能である。また、マグネット１５としては、１２００ガウス程度のネオジム磁石が一例として適用でき、該ネオジム磁石を使用した場合には、小型のマグネットを使用した場合でも必要な大きさの磁力を得ることが可能である。
具体的には、図１〜図３及び図５に示す姿勢の本体ケーシング３を裏返して第２収容部４５を下に向けた状態で使用しても該第２収容部４５から指圧突起３１が落下することがなく、上述した磁力による簡易的に拘束状態が形成され、使用時に所望の磁気マッサージ効果が期待できる大きさの磁力を発生させることが可能なマグネット１５を使用する。
また、図示の実施の形態では、図５中、上面に位置する第１磁極面１１をＮ極、図５中、下面に位置する第２磁極面１３をＳ極とする配置でマグネット１５は設けられている。
【００２１】
支持リング１９は、本実施の形態では上記第２収容部４５に対して内嵌する外管２１と、該外管２１に対して内嵌する内管２３と、を備える二重管構造の支持リング１９が採用されている。
外管２１と内管２３は、鉄等の磁性体材料によって形成されており、本実施の形態では、円形断面の短寸スリーブ形状の外管２１と内管２３が互いに接した状態で嵌り合っている構造の支持リング１９が使用されている。
【００２２】
また、図６に示すように上記外管２１の高さは、内管２３の高さよりも高くなるように形成されており、このように構成することによって、次に述べる指圧突起３１における先端部３１の自由な遊動範囲を確保し、当該支持リング１９の基端面２５と上記マグネット１５の第１磁極面１１との接触面積を拡大して、より強い磁力を当該支持リング１９に作用させることが可能になっている。
【００２３】
指圧突起３１は、その基端面３３が平面状で、その先端部３５が程良い刺激を与える範囲で尖端状をなす釘状体によって一例として構成されている。
尚、ここでいう尖端状とは、身体に押し当てた時、身体を傷付けたり、痛みを与えるような極端な尖った状態ではなく、身体マッサージ具１として程良い刺激を与えることのできる範囲の尖った状態を意味している。
また、上記支持リング１９は鉄等の磁性体材料によって形成されており、内管２３の内径が約１０ｍｍで、指圧突起３１の直径が約２ｍｍに設定した場合には、図７（ａ）に示すように８本、あるいは図７（ｂ）に示すように７本の指圧突起３１がそれぞれ支持リング１９内に収容可能な構成になっている。
【００２４】
そして、図７（ａ）に示すように支持リング１９内に８本の指圧突起３１を収容した場合に比べて図７（ｂ）に示すように支持リング１９内に７本の指圧突起３１を収容した場合の方が隣接する指圧突起３１の間隔が広くなって隙間３９が大きくなるから指圧突起３１の遊動範囲が拡大し、より広い範囲を自由に遊動できるようになる。
一方、図７（ａ）に示すように支持リング１９内に８本の指圧突起３１を収容した場合は、図７（ｂ）に示すように支持リング１９内に７本の指圧突起３１を収容した場合に比べて隙間３９が小さくなるから隣接する指圧突起３１の間の反発力が強くなって指圧突起３１の姿勢が安定する。
【００２５】
（２）身体マッサージ具の作用（図６及び図７参照）
次に、このようにして構成される本実施の形態に係る身体マッサージ具１の作用を（ａ）使用前の状態と（ｂ）使用中の状態に分けて説明する。
（ａ）使用前の状態
使用前は、図６に示すように支持リング１９を構成する外管２１と内管２３の基端面２５寄りの部位が、上記マグネット１５の第１磁極面１１からの磁力を受けてＳ極になり、反対側の先端面２７寄りの部位はＮ極になる。
同様に、指圧突起３１の基端面３３寄りの部位はＳ極、指圧突起３１の先端部３５がＮ極になる。また、隣接する指圧突起３１は、基端面３３寄りの部位ではＳ極同士となって反発し合い、先端部３５ではＮ極同士になって反発し合う。
【００２６】
また、支持リング１９の内周面寄りに位置する指圧突起３１と外管２１及び内管２３との間では、図６に示すように支持リング１９の基端面２５寄りの部位の外管２１及び内管２３は共にＳ極、指圧突起３１の基端面３３寄りの部位もＳ極になり互いに反発し合う。
一方、同図に示すように支持リング１９の先端面２７寄りの部位の外管２１及び内管２３は共にＮ極、当該外管２１及び内管２３の先端面２７に近接する部位の指圧突起３１はＳ極になり、両者は磁力によって引き寄せられた状態になる。
従って、使用前の状態の身体マッサージ具１は、図７に示すように各指圧突起３１間に隙間３９が形成されて、複数の指圧突起３１は遊動可能な状態で保持されることになる。
【００２７】
（ｂ）使用中の状態
使用中は、上記身体マッサージ具１の指圧突起３１の先端部３５をマッサージを行いたい身体の特定部位に押し当て、当該身体の特定部位に沿う方向Ｙに往復移動させることによってマッサージを行う。
この状態では、上記隙間３９の範囲で指圧突起３１が上述した磁力に抗して遊動するため、すべての指圧突起３１の先端部３５の頂部が指圧点Ｏとして作用するようになる。また、それぞれの指圧点Ｏから発生する磁力線を効率良く集中させることができ、これにより強力な磁気マッサージ効果が得られるようになる。
【００２８】
また、各指圧突起３１のそれぞれの指圧点Ｏの間隔と作用高さは、適用する身体の特定部位の形状等に対応して最適な間隔と作用高さに自動的に設定されるから、身体に押し当てた時、身体を傷付けたり痛みを感じさせることがなく、常に程良い刺激の穏やかな指圧マッサージ効果を得ることが可能になる。
また、使用後は、上述した磁力による指圧突起３１間の反発力等によって使用前の状態に指圧突起３１は自動的に復帰する。
【００２９】
（３）身体マッサージ具の使用状態（図８参照）
本発明の身体マッサージ具１は、足、肩、腰、顔面等、使用者Ａの身体のあらゆる部位に適用でき、使用者が自ら柄９を持ってマッサージを行う他、椅子や床に敷いたマット等に身体マッサージ具１をセットし、当該セットされた身体マッサージ具１に対して使用者の身体の特定部位を押し当てて使用することが可能である。
尚、図８では使用者Ａの一例として左の手Ｂで身体マッサージ具１を持ち、右足の足裏Ｃに指圧突起３１を押し当てて、身体マッサージ具１を足裏Ｃ沿う方向Ｙに往復移動させることによって足裏Ｃのマッサージを行っている使用状態を図示している。
また、本発明の身体マッサージ具１の強力な磁気マッサージ効果と程良い刺激の指圧マッサージ効果によって身体の適用部位の血流が良くなるから、慢性的な肩凝りや腰痛、足裏Ｃの水虫等の治療に対して本発明の身体マッサージ具１を使用することも可能である。
【００３０】
（４）比較試験の内容と結果（図９参照）
次に、このようにして構成される本発明の身体マッサージ具１の効果を試すために行った比較試験の内容と結果について説明する。
本比較試験では、比較例１として指圧球４７を備えた身体マッサージ具４９、比較例２として軸方向Ｚに沿う方向に指圧突起３１を固定状態で整列配置させた身体マッサージ具５１、比較例３として本発明の身体マッサージ具１から指圧突起３１を取り除いて支持リング１９のみにした状態の身体マッサージ具５３の３種類の身体マッサージ具をとり上げ、これら３種類の比較例１〜３と本発明品との磁力の強さと集中度の違いを鉄粉Ｓの吸着度合によって比較した。
【００３１】
（ａ）比較例１の結果（図９（ａ）参照）
比較例１では、指圧点Ｏは指圧球４７と身体の特定部位との接点である１点のみとなる。そして、この場合には、指圧点Ｏの１点のみに鉄粉Ｓが付くがその量は極めて少ない。
（ｂ）比較例２の結果（図９（ｂ）参照）
比較例２では、指圧点Ｏは固定状態で整列配置された複数本の指圧突起３１のそれぞれの頂部となる。そして、この場合には、指圧点Ｏの１点１点に鉄粉Ｓが付くがその量は比較例１と同様に少ない。
【００３２】
（ｃ）比較例３の結果（図９（ｃ）参照）
比較例３では、指圧点Ｏは支持リング１９の先端面２７の全周となる。そして、この場合には、円環状の指圧点Ｏの一部のみに鉄粉Ｓが付き、その量は多くなる。
（ｄ）本発明品の結果（図９（ｄ）参照）
本発明品では、指圧点Ｏは遊動可能な状態で磁力により保持された、複数本の指圧突起３１におけるそれぞれの頂部となる。そして、この場合には、指圧点Ｏの１点１点に満遍無く鉄粉Ｓが付き、その量も多くなる。
【００３３】
従って、指圧球４７を使用し支持リング１９を有しない比較例１の場合には、磁力の強さは弱く磁力の集中度も少ない。また、固定状態で整列配置された複数本の指圧突起３１を備え支持リング１９を有しない比較例２の場合も、磁力の強さは弱く磁力の集中度が少ないという結果が得られた。
また、指圧突起３１を備えず支持リング１９のみを有する比較例３の場合には、磁力の強さは強くなるが、その分布に偏りが生じて磁力の集中度は少ない。更に、遊動可能な状態で磁力により保持されている指圧突起３１と支持リング１９とを備える本発明品では、磁力の強さは強くなり、磁力の集中度が増大して強力な磁気マッサージ効果が得られることが実証された。
【００３４】
そして、このような結果には、複数本の指圧突起３１を使用したことと、支持リング１９を備えたこと、支持リング１９の先端面２７よりも指圧突起３１の先端部３５を突出させたことに加えて、複数本の指圧突起３１を遊動状態で保持したことが深く関係している。
即ち、このような条件を満たす本発明品の場合には、各指圧点Ｏから放出される磁力線の方向が比較例２のように一様でなく、各指圧点Ｏごとに異なっているため、磁力の集中度が増して強力な磁気マッサージ効果が得られたものと推察される。
【００３５】
尚、本発明の身体マッサージ具１は、上述した実施の形態のものに限定されず、その発明の要旨内での変更が可能である。
例えば、指圧突起３１の数は上記実施の形態で述べた数に限定されるものではなく支持リング１９の内径や指圧突起３１の直径の違い等に応じて適宜、変更することが可能である。更に、指圧突起３１の直径や先端部３５の形状を変えたものを複数セット用意しておき、適用する身体の特定部位の違いや使用の目的の違い等に対応して最適な指圧突起３１のセットを選択して使用することも可能である。また、本体ケーシング３に備えた柄９は必ずしも備えていなくてもよく、柄９を有しない身体マッサージ具１とすることも可能であるし、本体ケーシング３の形状も上記実施の形態で述べた円錐台形状に限らず、種々の形状が採用可能である。
【産業上の利用可能性】
【００３６】
本発明の身体マッサージ具は、家庭や職場あるいは宿泊先や交通機関等を利用して移動している場合等、種々の環境で使用することができる、持ち運びが可能な身体マッサージ具の製造、使用分野等で利用でき、特に簡易な構造で強力な磁気マッサージ効果と程良い刺激の指圧マッサージ効果を得たい場合に利用可能性を有する。
【符号の説明】
【００３７】
１  身体マッサージ具
３  本体ケーシング
４  ケーシング
５  基端部
６  基端面
７  先端部
８  先端面
９  柄
１１  第１磁極面
１３  第２磁極面
１５  マグネット
１９  支持リング
２１  外管
２３  内管
２５  基端面
２７  先端面
３１  指圧突起
３３  基端面
３５  先端部
３９  隙間
４１  穴部
４３  第１収容部
４５  第２収容部
４７  指圧球
４９  身体マッサージ具
１４  身体マッサージ具
５３  身体マッサージ具
Ａ  使用者
Ｂ  手
Ｃ  足裏
Ｚ  軸方向
Ｏ  指圧点
Ｙ  （身体に）沿う方向
Ｓ  鉄粉
【図１】
0006494076.tif 000002
【図２】
0006494076.tif 000003
【図３】
0006494076.tif 000004
【図４】
0006494076.tif 000005
【図５】
0006494076.tif 000006
【図６】
0006494076.tif 000007
【図７】
0006494076.tif 000008
【図８】
0006494076.tif 000009
【図９】
0006494076.tif 000010